(57)【特許請求の範囲】
【請求項１】
基材上に少なくとも二つの画像を備える情報担持体であって、
前記画像は、複数の画線群で構成され、
前記画線群は、鏡面光沢を有するインキを用いて盛り上がりのある画線で形成されており、
第１の方向に平行に配置された複数の画線において、第１の画線面積率を有する第１の画線群と、
前記第１の方向と平行に配置された複数の画線において、前記第１の画線面積率とは異なる第２の画線面積率を有する第２の画線群と、
前記第１の方向と異なる第２の方向に平行に配置された複数の画線において、前記第１の画線面積率と同じ画線面積率を有する第３の画線群と、
前記第２の方向と平行に配置された複数の画線において、前記第２の画線面積率と同じ画線面積率を有する第４の画線群とを備え、
第１の画像は、画像部と背景部とに区分けされ、第２の画像は、画像部と背景部に区分けされ、
第１の画像の背景部は、前記第１の画線群と前記第２の画線群から成り、
前記第１の画像の画像部は、前記第３の画線群と前記第４の画線群から成り、
第２の画像の背景部は、前記第１の画線群と前記第３の画線群から成り、
前記第２の画像の画像部は、前記第２の画線群と前記第４の画線群から成ることを特徴とする真偽判別可能な情報担持体。
【請求項２】
前記鏡面光沢を有するインキが、鱗片状マイカ顔料、鱗片状金属顔料、ガラスフレーク顔料及びコレステリック液晶顔料の少なくとも一つを含むことを特徴とする請求項１記載の真偽判別可能な情報担持体。
【請求項３】
前記鏡面光沢を有するインキに含まれる鱗片状マイカ顔料、鱗片状金属顔料、ガラスフレーク顔料及び／又はコレステリック液晶顔料の配向性を向上させるために、顔料表面に撥水性及び撥油性を持たせる表面処理が施されていることを特徴とする請求項２に記載の真偽判別可能な情報担持体。
【請求項４】
前記鏡面光沢を有するインキは、前記基材と異なる色を有していることを特徴とする請求項1乃至３のいずれか一項に記載の真偽判別可能な情報担持体。
【請求項５】
前記鏡面光沢を有するインキが、着色顔料を含むことを特徴とする請求項１乃至４のいずれか一項に記載の真偽判別可能な情報担持体。
【請求項６】
前記第１の画線面積率と第２の画線面積率との面積率の差異は、前記第１の画線面積率を有する前記第１の画線群及び前記第３の画線群と、前記第２の画線面積率を有する第２の画線群及び第４の画線群の画線幅の太細、画線ピッチの大小のいずれか、又はその両方によって形成されることを特徴とする請求項１乃至５のいずれか一項に記載の真偽判別可能な情報担持体。
【請求項７】
前記第１の画線面積率と第２の画線面積率との面積率の差異は、１０〜５０％の範囲であることを特徴とする請求項１乃至６のいずれか一項に記載の真偽判別可能な情報担持体。
【請求項８】
前記複数の画線群が配置されている前記第１の方向と前記第２の方向との角度差が５°以上であることを特徴とする請求項１乃至７のいずれか一項に記載の真偽判別可能な情報担持体。
【請求項９】
前記第１の画線面積率の画線群を形成する第１の画線幅と、前記第２の画線面積率の画線群を形成する第２の画線幅が３０〜１０００μｍの範囲であることを特徴とする請求項１乃至８のいずれか一項に記載の真偽判別可能な情報担持体。
【請求項１０】
前記鏡面光沢を有するインキによる画線の盛り上がり高さが、１０〜１５０μｍの範囲であることを特徴とする請求項１乃至９のいずれか一項に記載の真偽判別可能な情報担持体。
【請求項１１】
前記第１の画像は、拡散反射光と正反射光が混在する観察角度領域において視認され、
前記第２の画像は、拡散反射光の観察角度領域において視認されることを特徴とする請求項１乃至１０のいずれか一項に記載の真偽判別可能な情報担持体。
【請求項１２】
前記第１の画像は、少なくとも三つ以上の画像領域を有しており、前記画像領域を構成する前記第１の画線群及び前記第２の画線群の配置角度が、各領域同士、少なくとも５°以上異なっていることを特徴とする請求項１乃至１１のいずれか一項に記載の真偽判別可能な情報担持体。
【発明の詳細な説明】
【技術分野】
【０００１】
本発明は、偽造防止効果を必要とするセキュリティ印刷物である銀行券、パスポート、有価証券、身分証明書、カード及び通行券等の貴重印刷物の分野において、特に、観察角度によって視認画像が変化する効果を付与した偽造防止用又は真偽判別用の情報担持体に関するものである。
【背景技術】
【０００２】
近年、セキュリティを要する貴重印刷物等には、新しい意匠性を持ち、偽造防止効果の高い偽造防止要素及び印刷技術が望まれている。このため、観察角度によって画像が変化するホログラム等の光学的なセキュリティ要素を貼付したものが多く存在するようになった。
【０００３】
前述のような光学的な変化を示す偽造防止印刷物は、一般的に高価で特殊な装置及び材料を必要とするため、付加的な製造工程が必要になり、コスト的にも負荷が高くなるといった問題があった。
【０００４】
そこで、本出願人は、以上のような問題点を解決するために、一般的で、かつ、比較的安価な材料及び簡単な印刷手段を使用し、特定の観察角度において、人の目に認識される情報が、観察角度を変化させることによって、全く別の情報に変化する偽造防止用情報担持体に係る発明を出願している（例えば、特許文献１参照）。
【０００５】
この特許文献１による偽造防止用情報担持体は、汎用の安価なアルミニウム粉末又は真鍮粉末を成分とした市販の銀色又は金色インキを用いて、一般的な印刷手段により、ホログラム的な効果を呈するセキュリティ画像を、直接的に印刷物の基材に付与する構成を特徴とし、コストパフォーマンス及び機械的な流通強度が優れた偽造防止及び真偽判別印刷物である。
【０００６】
この特許文献１で開示された偽造防止用情報担持体は、一つ目の効果として、基材上に適切な面積の疎密差を持つ二つの光輝性材料層により第１の画像が形成されているとき、拡散光が支配的な観察角度領域においては、二つの光輝性材料層の両者から観察者の目に到達する反射光量が互いに小さくなるため、第１の画像を容易に認識することが可能になる。一方、正反射光が支配的な観察角度領域では、二つの光輝性材料層の両者から観察者の目に到達する反射光量が共に極端に大きくなるため、第１の画像を視認することが難しくなる。
【０００７】
さらに、特許文献１で開示された偽造防止用情報担持体は、二つ目の効果として、前述した面積の極めて密な光輝性材料層に形成された第１の画像と、その光輝性材料に比較して可視光吸収性の高い色材料を用いて形成された面積の極めて疎な色材料層を重ねた層による第２の画像は、拡散光が支配的な観察角度領域において、観察者の目に到達する反射光量が互いに小さくなるため、構成成分は異なっているにもかかわらず、二つの層からの色調差及び明るさの差を視認することが難しく、同じ程度の刺激として人の目に観察されるため、第２の画像は視認できない。
【０００８】
一方、正反射光が支配的な観察角度領域では、光輝性材料のみの層から観察者の目に到達する反射光量が極端に大きくなるのに対して、可視光吸収性の高い色材料を光輝性材料層に重ねた層から観察者の目に到達する反射光量が相対的に小さくなるため、反射光量の差による色調差によって、第２の画像を容易に視認することが可能になる。
【０００９】
また、本出願人は、平面配向性パール顔料を用いた盛り上がりのある画線を形成し、背景画像部とメッセージ画像部で画線角度を異なる構成とすることで、斜めから観察した場合にのみ、メッセージ画像部がポジからネガへ又はネガからポジへ変化して出現する効果を有する真偽判別可能な印刷物に関わる発明を出願している（例えば、特許文献２、特許文献３参照）。
【００１０】
特許文献２及び特許文献３で開示された真偽判別可能な印刷物は、基材の表面に盛り上がりのある画線構造によって背景画像とメッセージ画像が形成され、かつ、背景画像の画線パターンとメッセージ画像の画線パターンは、異なる角度で形成されるために、拡散反射光が支配的な角度領域においてはメッセージ画像が肉眼にほとんど視認されず、拡散反射光から正反射光が支配的な角度領域に変化するに従って、盛り上がりを有する背景画像とメッセージ画像が入射光に対してそれぞれ異なった光の反射を成す構造となることから、メッセージ画像がネガ画像又はポジ画像として視認される効果を有する。
【００１１】
【特許文献１】特許第３３９８７５８号公報
【特許文献２】特許第３７１８７１２号公報
【特許文献３】再公表特許Ｗ０２００３／０１３８７１号公報
【発明の開示】
【発明が解決しようとする課題】
【００１２】
しかしながら、特許文献１による発明は、二つの効果を重ね合わせることで、拡散光が支配的な観察角度領域においては第１の画像が視認でき、正反射光が支配的な観察角度領域においては第２の画像を確認できる偽造防止用情報担持体を形成できる。ただし、第１の画像を構成している光輝性材料層と第２の画像を構成している色材料層を、同一ピッチで精密に刷り合わせる必要がある。したがって、第１の画像と第２の画像の刷り合わせを常に適正な精度に管理しながら製造することが必要である。
【００１３】
また、特許文献１記載の偽造防止用情報担持体を形成するためには、第１の画像を構成する光輝性材料層と、第２の画像を構成する色材料層が、拡散光が支配的な観察角度領域において同色（近似色）に見えるように、適切な面積率の疎密差を見極めなければならない。それには、可視光吸収性の高い色材料の色彩の種類と面積率を何通りにも変えて印刷し、第１の画像から第２の画像へ最適なスイッチ性が得られるような可視光吸収性の高い色材料の色彩と面積率を見極めるまでに多大な労力を必要とする。
【００１４】
また、最適な画像のスイッチ性を得るために、可視光吸収性の高い色材料による第２の画像の面積率は、１５〜３０％の特定の範囲で形成されなければならない。さらに、第１の画像の極めて密な光輝性材料層の上に規則性を合せて印刷することから、第２の画像は、観察環境によっては視認性が低下する場合があり、二つの画像の明瞭なスイッチ効果を得るには若干の問題があった。
【００１５】
特許文献２記載の真偽判別可能な印刷物は、斜めから観察した場合にメッセージ画像が光の入射角度に応じてネガ画像からポジ画像又はポジ画像からネガ画像に変化して出現するものの、真上から観察した場合には、メッセージ画像が認識できないだけでなく、メッセージ画像以外の有意味画像を認識させることもできない。すなわち、二つの異なる画像をスイッチさせることは不可能であった。
【００１６】
また、特許文献３記載の真偽判別可能な印刷物において、特許文献２の印刷物の構造を用いて、観察者にメッセージ画像と相関のない有意味画像を視認させるためには、盛り上がりを有する画線を印刷する前に、あらかじめ低濃度のインキで第１の画像を形成しておく必要があった。また、低濃度の第１の画像と盛り上がりを有する画線によるメッセージ画像を鮮明にスイッチさせるために、メッセージ画像が視認される観察領域において第１の画像が消失しなければならず、そのため第１の画像は、明度が高い（淡い）画像とする必要があり、第１の画像の視認性を低く抑える必要があった。
【００１７】
本発明は、人の目に認識される情報が、観察角度を変化させることによって、別の情報に明瞭に変化するとともに、カラー複写機では再現不可能な情報担持体を提供するものである。
【課題を解決するための手段】
【００１８】
本発明の情報担持体は、基材上に少なくとも二つの画像を備える情報担持体であって、その画像は、複数の画線群で構成され、画線群は、鏡面光沢を有するインキを用いて盛り上がりのある画線で形成されており、第１の方向に平行に配置された複数の画線において、第１の画線面積率を有する第１の画線群と、第１の方向と平行に配置された複数の画線において、第１の画線面積率とは異なる第２の画線面積率を有する第２の画線群と、第１の方向と異なる第２の方向に平行に配置された複数の画線において、第１の画線面積率と同じ画線面積率を有する第３の画線群と、第２の方向と平行に配置された複数の画線において、第２の画線面積率と同じ画線面積率を有する第４の画線群とを備え、第１の画像は、画像部と背景部とに区分けされ、第２の画像は、画像部と背景部に区分けされ、第１の画像の背景部は、第１の画線群と第２の画線群から成り、第１の画像の画像部は、第３の画線群と第４の画線群から成り、第２の画像の背景部は、第１の画線群と第３の画線群から成り、第２の画像の画像部は、第２の画線群と第４の画線群から成ることを特徴とする。
【００１９】
本発明の情報担持体は、鏡面光沢を有するインキが、鱗片状マイカ顔料、鱗片状金属顔料、ガラスフレーク顔料及びコレステリック液晶顔料の少なくとも一つを含むことを特徴とする。
【００２０】
本発明の情報担持体は、鏡面光沢を有するインキに含まれる鱗片状マイカ顔料、鱗片状金属顔料、ガラスフレーク顔料及び／又はコレステリック液晶顔料の配向性を向上させるために、顔料表面に撥水性及び撥油性を持たせる表面処理が施されていることを特徴とする。
【００２１】
本発明の情報担持体は、鏡面光沢を有するインキが、基材と異なる色を有していることを特徴とする。
【００２２】
本発明の情報担持体は、鏡面光沢を有するインキが、着色顔料を含むことを特徴とする。
【００２３】
本発明の情報担持体は、第１の画線面積率と第２の画線面積率との面積率の差異が、第１の画線面積率を有する第１の画線群及び第３の画線群と、第２の画線面積率を有する第２の画線群及び第４の画線群の画線幅の太細、画線ピッチの大小のいずれか、又はその両方によって形成されることを特徴とする。
【００２４】
本発明の情報担持体は、第１の画線面積率と第２の画線面積率との面積率の差異が、１０〜５０％の範囲であることを特徴とする。
【００２５】
本発明の情報担持体は、複数の画線群における第１の方向と第２の方向との角度差が５°以上であることを特徴とする。
【００２６】
本発明の情報担持体は、第１の画線面積率の画線群を形成する第１の画線幅と第２の画線面積率の画線群を形成する第２の画線幅が、３０〜１０００μｍの範囲であることを特徴とする。
【００２７】
本発明の情報担持体は、鏡面光沢を有するインキによる画線の盛り上がり高さが、１０〜１５０μｍの範囲であることを特徴とする。
【００２８】
本発明の情報担持体は、拡散反射光と正反射光が混在する観察角度領域において第１の画像が視認され、拡散反射光の観察角度領域において第２の画像視認されることを特徴とする。
【００２９】
本発明の情報担持体は、第１の画像が少なくとも三つ以上の画像領域を有しており、画像領域を構成する第１の画線群及び第２の画線群の配置角度が、各領域同士、少なくとも５°以上異なっていることを特徴とする。
【発明の効果】
【００３０】
本発明は、単一のインキでスイッチ画像を形成することから、第１の画像と第２の画像の間で自動的にメタメリズムが成立する。このことから、特許文献１記載の発明のように、光輝性材料層と色材料層が、拡散光領域において同色（近似色）に見えるように、色材料層の画像についての適切な面積の疎密差を見極める作業を必要としないため、容易に画線設計ができる。また、拡散光が支配的な観察角度領域における第２の画像の観察において、第１の画像が若干見えてしまうこともなく、拡散反射光と正反射光が混在する観察角度領域においては、印刷された第２の画像から印刷された第１の画像へ明瞭に画像がスイッチする。
【００３１】
本発明は、特許文献１記載の発明とは異なり、鏡面光沢を有するインキを用いて、盛り上がりを生じさせる印刷方法により画線を形成することから、拡散反射光と正反射光が混在する観察角度領域において、潜像となる第１の画像がポジからネガ又はネガからポジへ濃淡反転する効果が加味されるため、高価な真偽判別装置を用いなくとも、視覚により誰でもその場で容易に真偽判別することができる。
【００３２】
本発明は、特許文献２記載の発明とは根本的に異なり、インキの明度を低く（濃く）形成し、かつ、画線の太細や粗密によって任意の画像を形成することも可能であることから、潜像となる第１の画像とは全く別の有意味画像である第２の画像を同時に形成することが可能である。
【００３３】
虹彩色パールに着色顔料を混合したインキ（以下「着色したパールインキ」という。）を用いて、本発明にかかわる情報担持体を形成した場合には、拡散反射領域から正反射領域にかけて、着色顔料の色彩と虹彩色パール顔料の干渉色が第１の画像に同時に反映されることから、第１の画像にカラーフリップフロップ性に優れた鮮やかな色彩変化を付与することが可能である。また、この場合、画線を着色するにもかかわらず、拡散反射光と正反射光が混在する観察角度領域におけるパールの干渉効果は損なわれることはない。
【００３４】
本発明は、特許文献１及び特許文献２に記載の発明のように、第１の画像と第２の画像を別々に印刷する必要がなく、１色刷りで形成可能であることから、当然のことながら刷り合わせ精度を全く必要とせず、生産性が極めて優れている。
【発明を実施するための最良の形態】
【００３５】
本発明の実施形態について図面を用いて説明する。しかしながら、本発明は、以下に述べる実施するための最良の形態に限定されるものではなく、特許請求の範囲記載における技術的思想の範囲内であれば、その他のいろいろな形態が実施可能である。
【００３６】
図１は、本発明の情報担持体（１）を示す図であり、基材（２）上に着色したパールインキによって約１０μｍの高さで盛り上がりのある、所定の一定ピッチ（０．４ｍｍ）の画線が形成されている。情報担持体（１）は、４種類の画線で形成されており、同一の画線が集合して画線群を形成している。４種類の画線は、画線角度が９０°（縦方向）で画線が細い（０．１５ｍｍ）画線（以下「縦方向細画線」といい、縦方向細画線の集合した画線群を、以下「第１の画線群」という。）と、画線角度が９０°（縦方向）で画線が太い（０．２０ｍｍ）画線（以下「縦方向太画線」といい、縦方向太画線の集合した画線群を、以下「第２の画線群」という。）と、画線角度が０°（横方向）で画線が細い（０．１５ｍｍ）画線（以下「横方向細画線」といい、横方向細画線の集合した画線群を、以下「第３の画線群」という。）と、画線角度が０°（横方向）であり、画線が太い（０．２０ｍｍ）画線（以下「横方向太画線」といい、横方向太画線の集合した画線群を、以下「第４の画線群」という。）がある。
【００３７】
この構成によって、情報担持体（１）には、図２及び図３に示すような二つの潜像画像が形成でき、具体的には、第１の画像（桜模様）は、第１の画線群と第２の画線群が背景部、第３の画線群と第４の画線群が画像部となり、一方、第２の画像（ＪＰＮ画像）は、第１の画線群と第３の画線群が背景部、第２の画線群と第４の画線群が画像部となる。なお、実施の形態では、第２の画像（ＪＰＮ画像）は画線の太細を用いて説明しているが、同一の画線幅で背景部と画像部の画線ピッチを変えて画線面積率に差異を設けても良い。
【００３８】
（第１の画像）
本発明において、観察角度に応じて第１の画像（桜模様）と第２の画像（ＪＰＮ画像）がスイッチする効果を説明するため、まず第１の画像の視認原理について説明する。視認原理を分かりやすくするために、図１の情報担持体（１）から画線の太細による面積率の差異をなくし、すべて同一の画線幅と所定の一定ピッチ（０．４ｍｍ）で第１の画像（桜模様）のみを表した図４の情報担持体（７）を用いて説明する。
【００３９】
図４に示す情報担持体（７）は、約１０μmの盛り上がりのある画線を、表１に示すパール顔料を含むインキを用いてスクリーン印刷方式で形成しており、背景部を構成する第１の画線角度を成す第１の画線群７aと、画像部を構成する第２の画線角度を成す第３の画線群７ｂから成っている。
【００４０】
表１に示すインキは、干渉色が金色の虹彩色パール顔料に、黒色の着色顔料を微量加えて着色したパールインキとしたものである。着色したパールインキ中の着色顔料に黒色や濃い色を有する着色顔料を用いることで、形成した画線が正反射した場合にパールの干渉色以外の色を吸収し、結果として、パールの干渉色をより強調させる効果を発揮させることが可能である。この着色したパールインキで形成された画線は、パールの干渉効果が目視できない拡散反射が支配的な観察領域では、単に黒色として観察される。
【００４１】
【表１】
0004972809.tif 000002
【００４２】
盛り上がりを有し、画線角度の異なるこの二つの画線群が、一定方向から入射する光に対して、観察角度に応じて色彩が変化する状態を測定するために、図５（ａ）のように、第１の画線群７ａ（ピッチ０．４ｍｍ画線幅０．１５ｍｍ）に対して角度４５°で光源８から光を入射し、画線方向に対して直角方向に受光角度‐２０°から８０°までのＬ*、ａ*、ｂ*の値と、図５（ｂ）のように、第３の画線群７ｂ（ピッチ０．４ｍｍ画線幅０．１５ｍｍ）に対して角度４５°で光源８から光を入射し、画線方向に対して平行方向に受光角度‐２０°から８０°までのＬ*、ａ*、ｂ*の値を測定した。Ｌ*、ａ*、ｂ*の値は、変角分光測色システムＧＣＭＳ−４型〔村上色彩技術研究所製〕を使用して測定した。
【００４３】
測定の結果は、図６のグラフに示すとおりである。第１の画線群７ａに対して直角方向に受光して測定した値は、 Ｌ１*、ａ１*、ｂ1*、第３の画線群７ｂに対して平行方向に受光して測定した値は、Ｌ２*、ａ２*、ｂ２*である。画線ピッチや画線幅が全く同一な画線であっても、画線角度が異なっていることで、明度、彩度及び色相が異なって観察される受光角度があることがわかる。
【００４４】
受光角度による色相の差異をわかりやすく説明するため、Ｌ１*、ａ１*、ｂ1*を基準として、Ｌ２*、ａ２*、ｂ２*の色差ΔEを算出したのが図７のグラフである。
【００４５】
本明細書においては、受光角度−２０°〜０°の拡散反射光が支配的な観察角度領域を「観察角度領域Ａ」、受光角度４５度±５の正反射光が支配的な観察角度領域を「観察角度領域C」とし、「観察角度領域Ａ」と「観察角度領域Ｃ」を除いた拡散反射光と正反射光が混在する観察角度領域を「観察角度領域Ｂ」と定義し、それぞれの観察角度領域を模式的に示すと図８の通りとなる。
【００４６】
また、観察角度領域Ｂは、画線角度に応じて変化するが、この例における観察角度領域Ｂは、２０°±２０°及び７０°±２０°である。光源（８）から入射角度４５°で情報担持体（１）に光が入射した場合、それぞれの観察角度領域を模式的に示すと図８のとおりとなる。
【００４７】
観察者の視点が図８に示す視点（９）から情報担持体（１）を観察する場合は、拡散反射光が支配的な観察角度領域Ａにあり、観察者が視点（１０）から情報担持体（１）を観察する場合には、正反射光と拡散反射光が混在する観察角度領域Ｂにあり、観察者が視点（１１）から情報担持体（１）を観察する場合は、観察者の視点は正反射光が支配的な観察角度領域Ｃにあると言える。
【００４８】
図７のグラフから、画線角度の異なる画線で第１の画像を潜像画像として形成した場合には、観察角度領域Ａと観察角度領域Ｃでは、第１の画線群７ａと第３の画線群７ｂの色差ΔＥの差が小さいため潜像化したままであるが、観察角度領域Ｂにおいて、第１の画線群７ａと第３の画線群７ｂの色差ΔＥが大きくなり、第１の画像（桜模様）が顕像化し、背景部の第１の画線群７ａと画像部の第３の画線群７ｂの差が視認されることがわかる。
【００４９】
以上のように、画線角度の異なる画線の組合せで形成された第１の画像（桜模様）は、観察角度領域Ａ及び観察角度領域Cでは視認されず、観察角度領域Ｂのみで視認される結果となる。
【００５０】
図４に示す情報担持体（７）の画線構成で、着色したパールインキを用いて盛り上がるように形成された第１の画像は、観察角度領域Ａにおいて図９（ａ）に示すような濃淡のない画像として観察され、観察角度領域Bにおいては、図９（ｂ）及び図９（ｃ）に示すように、桜模様がポジからネガ又はネガからポジに濃淡反転しながら黒色から金色へ、金色から黒色へ鮮やかに変化する。図６のグラフに示す測定データは、画像部が常にポジ画像として観察されている。ただし、これは測定器が作り出す特異的な環境におけるデータであり、実際には我々が生活する一般的な観察環境おいては測定器と異なり多光源であったり、少なくとも多数の反射光が存在する環境であり、多くの場合、画像部と背景部、いずれの画線に対しても直角に近い角度を成して入射する光が存在している。このように通常の環境で観察した場合には、観察角度領域Ｂの中で印刷物を傾けることによって、背景部を形成する画線の明度が画像部の明度を上回った場合に、画像部はネガとして観察される。よって、通常の環境で印刷物を傾けて観察した場合には、観察角度領域Bにおいて、画像部がネガからポジ又はポジからネガへの濃淡反転が観察される。
【００５１】
（第２の画像）
次に、本発明において、観察角度に応じて第１の画像（桜模様）と第２の画像（ＪＰＮ画像）がスイッチする効果を説明するための第二段階として、画線の太細による面積率の差異の組合せにより有意味画像が形成された第２の画像（ＪＰＮ画像）が、観察角度領域ＡからCまでのそれぞれの観察角度領域で、どのように視認されるかを説明する。視認原理を分かりやすくするために、図１の情報担持体（１）から画線角度の異なりを無くし、全て同一方向の画線で第２の画像（ＪＰＮ画像）を構成した図１０に示す情報担持体（１２）を用いて説明する。
【００５２】
図１０に示す情報担持体（１２）は、所定の一定ピッチ（０．４mm）の盛り上がりのある縦方向の画線群をスクリーン印刷方式で形成しており、第２の画像（ＪＰＮ）の背景部を構成する第１の画線群１２a（０．１５mm）と、第２の画像（ＪＰＮ）の画像部を構成する第２の画線群１２ｂ（０．２０ｍｍ）から成っている。インキは、第２の画像を形成する第１の画線群１２ａと第２の画線群１２ｂによる粗密差の視認性を高めるため、表１に示すように、黒色顔料を加えた着色したパールインキとした。
【００５３】
盛り上がりを有し、画線幅の異なるこの二つの画線群が、一定方向から入射する光に対して、観察角度に応じて色彩が変化する状態を測定するために、図１１（a）のように、第１の画線群１２ａ(ピッチ０．４ｍｍ、画線幅０．１５ｍｍ)に対して角度４５°で光源１から光を入射し、画線方向に対して直角に受光角度−２０°〜８０°までのＬ１*、ａ１*、ｂ1*の値と、図１１（ｂ）のように，第２の画線群１２ｂ(ピッチ０．４ｍｍ、画線幅０．２０ｍｍ)に対して角度４５°で光源１から光を入射し、同様に画線方向に対して直角に受光角度−２０°〜８０°までのＬ１*、ａ１*、ｂ1*の値を測定した。Ｌ１*、ａ１*、ｂ1*の値は、変角分光測色システムＧＣＭＳ−４型（村上色彩技術研究所製）を使用して測定した。
【００５４】
測定の結果は、図１２のグラフに示すとおりであり、画線幅０．１５mmの第１の画線群１２ａを測定した値はＬ１*、ａ１*、ｂ1*、画線幅０．２０mmの第２の画線群１２ｂを測定した値はＬ１*、ａ１*、ｂ1*である。いずれの画線もパールインキの干渉効果によって受光角度による明度や彩度、色相の変化はあるものの、画線角度が異なる前述の二つの第１の画線群７aと第３の画線群７ｂを比較した結果（図６）のような画線群の間の顕著な差異はなく、第１の画線群１２ａと第２の画線群１２ｂを比較した結果（図１２）では、受光角度に応じて一緒に色が変化するため、同じ色として視認される。
【００５５】
色相の異なりをわかりやすく説明するため、Ｌ１*、ａ１*、ｂ1*を基準として、Ｌ３*、ａ３*、ｂ３*の色差ΔEを算出したのが図１３のグラフである。受光角度における色差ΔＥの変動は、４〜１８の変動範囲であり、色差ΔＥが４以上あることから、画像部と背景部が同程度の色相であっても、面積率の差異によって、すべての観察領域においてＪＰＮ画像が視認されることを示している。
【００５６】
この結果から、画線の太細による面積率の差異の組み合わせにより有意味画像が形成された第２の画像（ＪＰＮ画像）を単独で形成した場合には、背景部と画像部でわずかに濃淡反転したり、若干視認性が上がる観察角度領域が存在するものの、基本的にはすべての観察角度領域において、図１４に示すようなＪＰＮ画像として目視で視認されるだけのコントラストを有して存在していることがわかる。
【００５７】
（スイッチ効果）
図４の第１の画像（桜模様）のみの情報担持体（７）は、画線角度の異なる第１の画線群（７ａ）と第３の画線群（７ｂ）の組み合わせにより第１の画像（桜模様）を形成していることから、観察角度領域Ａ及び観察角度領域Ｃでは、画像部と背景部の色差ΔＥが低い値を示していることから桜模様を視認しづらく、観察角度領域Ｂにおいては、画像部と背景部の色差ΔＥが最大で１００程度の高い値を示すことから、観察角度領域Ｂでのみ第１の画像（桜模様）が視認される。
【００５８】
また、図１０の第２の画像（ＪＰＮ画像）のみの情報担持体（１２）は、画線の太細による面積率が異なる第１の画線群（１２ａ）と第３の画線群（１２ｂ）の組み合わせで第２の画像（ＪＰＮ画像）を形成しているため、すべての観察領域において画像部と背景部の色差ΔＥが４から１８の範囲を示すことから、全ての観察角度領域において第２の画像（ＪＰＮ画像）が視認される。
【００５９】
このことから、図１に示す情報担持体（１）のように、第１の画像の構成と第２の画像の構成を同じ画像領域の中で合成した場合、すべての観察角度領域において第２の画像（ＪＰＮ画像）が視認されるが、観察角度領域Ｂでのみ第１の画像の色差ΔＥが第２の画像を大きく上回り、第１の画像が支配的に視認される。以上の効果によって、第１の画像から第２の画像にスイッチする情報担持体を得ることができる。
【００６０】
（合成画像の形成）
次に、第１の画像と第２の画像を同じ画像領域の中で合成し、図１に示した情報担持体（１）を形成して、スイッチする効果を具体的に説明する。
図１に示した情報担持体（１）は、縦方向太画線、縦方向細画線、横方向太画線及び横方向細画線の４種類の画線が集合した四つの画線群の組み合わせによって形成される。
【００６１】
具体的には、垂直方向にピッチ０．４０mm、画線幅０．１５mmで形成された縦方向細画線、垂直方向にピッチ０．４０mm、画線幅０．２０mmで形成された縦方向太画線、水平方向にピッチ０．４０mm、画線幅０．１５mmで形成された横方向細画線、水平方向にピッチ０．４０mm、画線幅０．２０mmで形成された横方向太画線であり、縦方向細画線が集合した第１の画線群（３）は、図１５に示す画像領域を形成し、縦方向太画線が集合した第２の画線群（４）は、図１６に示す画像領域を形成し、横方向細画線が集合した第３の画線群（５）は、図１７に示す画像領域を形成し、横方向太画線が集合した第４の画線群（６）は、図１８に示す画像領域を形成している。面積率の差異を成す画線の太細によって図２に示す第２の画像が形成されており、画線角度の異なり（垂直及び水平）によって、図３に示す第１の画像が形成されている。なお、これらの図１５〜図１８までの画像は、実際には一つの画像として形成されて単一の版面に焼き付け、同一のインキを用いて図１の情報担持体（１）を形成するものであり、本説明において、図１５〜図１８において各画像領域を別々に示しているのは、視認原理を明らかにするためである。
【００６２】
以上の画線の構成で、表１に示す配合のスクリーンインキを用いて市販のコート紙にスクリーン印刷を行った。図１９に第１の画線群（３）が形成する図１５に示した画像領域を基準とし、受光角度を−２０°から８０°まで変化させた場合のそれぞれの画線における色差ΔＥの変化を記す。図１９の折れ線１３は、第１の画線群（３）が形成する図１５に示した画像領域を基準とした場合の、第２の画線群（４）が形成する図１６に示した画像の色差を示し、図１９の折れ線１４は、第３の画線群（５）が形成する図１７に示した画像の色差を示し、図１９の折れ線１５は、第４の画線群（６）が形成する図１８に示した画像の色差を示している。
【００６３】
図１９のグラフから、観察角度領域Ａにおいて、折れ線１４の色差ΔＥは１．６と小さな値であり、折れ線１３の色差と折れ線１５の色差は、７．０と相対的に大きな値となっている。
【００６４】
拡散反射光と正反射光が混在した観察角度領域Ｂにおいて、折れ線１３の色差は、約１０であるが、折れ線１４の色差と折れ線１５の色差は、６０から１００と相対的に非常に大きな値となっている。
【００６５】
以上のことから、観察角度領域Ａにおいて、第１の画線群（３）が形成する図１５と、第３の画線群（５）が形成する図１７は、その差がほとんど知覚できない程度の視認性となっており、逆に第２の画線群（４）が形成する図１6と第４の画線群（６）が形成する図１８は、図１５及び図１７と比較して相対的に高く、かつ、図１６と図１８は同じ程度の視認性で認識される。よって、図１５と図１７は重なり合って「ＪＰＮ」の背景部として認識され、図１６と図１８も、図１５と図１７とは異なるやや強い視認性で、同じく画像同士が重なりあって「ＪＰＮ」の画像部として認識され、図２に示す第２の画像「ＪＰＮ」が目視される。
【００６６】
また、観察角度領域Bにおいて、第１の画線群（３）が形成する図１5と、第２の画線群（４）が形成する図１６は、相対的に低い視認性となり、逆に第３の画線群（５）が形成する図１７と第４の画線群（６）が形成する図１8は、第１の画線群及び第２の画線群と比較して相対的に高く、かつ、第２の画線群と第４の画線群は、同じ程度の視認性で認識される。よって、第１の画像群と第２の画線群は、「桜」の背景部として認識され、第３の画線群と第４の画線群も、第１の画線群と第２の画線群とは異なる極めて強い視認性で、同じく「桜」の画像部として認識され、図３に示す第１の画像の「桜」が目視上視認される。
【００６７】
以上のように、単独で形成した場合には、第２の画像自体は、観察角度領域Bにおいて消失する効果はないものの、第１の画像と組み合わせて形成することによって、第１の画像の観察角度領域Bにおける極めて強い発現効果によって視覚的に隠蔽され、目視上、消失したかのような効果を得ることができる。結果として観察角度領域Ａでは第２の画像のみが出現し、観察角度領域Bでは第１の画像のみが出現するスイッチ効果を実現することが可能となっている。以上が、本発明の情報担持体において画像がスイッチする原理である。
【００６８】
図２０（ａ）〜（ｃ）は、本発明のスイッチ効果を図示したものであり、図２０（ａ）は、観察角度領域Ａにおいて情報担持体（１）を観察した場合に、目視上、視認される画像であり、図２０（ｂ）及び図２０（ｃ）は、観察角度領域Bにおいて情報担持体（１）をフリップさせて観察した場合に、ポジからネガ又はネガからポジに濃淡反転しながら視認される画像である。ポジの場合には、第１の画像は、パールの干渉色である金色が主色相となり、その他の領域は、着色顔料の黒色で観察され、ネガの場合には、逆に第１の画像が黒色となり、その他の領域は、金色に観察される結果となり、第１の画像に単なるパールの干渉色の強弱のみならず、着色顔料の色とパールの干渉色の混色による鮮やかな色彩効果が付与されている。
【００６９】
観察角度領域Ｃでは、第２の画像（ＪＰＮ画像）が観察されるものの、その明度は極めて高いうえに、第１の画像（桜模様）の出現角度と極めて密接しているため、十分に注意して観察しなければその出現を確認することはできない。
【００７０】
（インキの着色力と画線幅の関係）
観察角度領域Ａにおける第２の画像（ＪＰＮ画像）の視認性と、観察角度領域Ｂにおける第１の画像（桜模様）の視認性は、インキの着色力（インキ中の着色顔料のコンテントや着色顔料の反射濃度等）と画線幅の太細の影響を強く受ける。図１に示した情報担持体（１）の図柄を用いて、第２の画線群（４）と第４の画線群（６）をピッチ０．４０ｍｍ、画線幅０．３０ｍｍの画線で条件を固定して形成し、第１の画線群（３）と第３の画線群（５）は、ピッチ０．４０ｍｍ、画線幅を０．１０ｍｍ、０．１５ｍｍ、０．２０ｍｍ、０．２５ｍｍと条件を変化させた画線で形成し、かつ、パール顔料を２０％配合し、着色顔料（クロモファインブラック）を１．０％、０．５％、０．２５％、０％と配合割合を変えたインキを用いて形成した場合の、各観察角度領域における画像の目視評価の結果を表２及び表３に示す。表２は、拡散反射光が支配的な観察角度領域Ａにおける第２の画像（ＪＰＮ画像）の視認性の評価結果、表３は、拡散反射光と正反射光が混在した観察角度領域Ｂにおける第１の画像（桜模様）の視認性の評価結果である。評価は、◎は極めて視認しやすい、○は視認しやすい、△は視認しにくい、×は視認できない、という４段階評価とした。
【００７１】
【表２】
0004972809.tif 000003
【００７２】
【表３】
0004972809.tif 000004
【００７３】
以上の結果が示すとおり、観察角度領域Ａにおいては、着色顔料の配合割合が高く、かつ、第２の画線群（４）と第４の画線群（６）の間の画線幅と、第１の画線群（３）と第３の画線群（５）の間の画線幅の差異が大きいほど、第２の画像が視認しやすいという結果となる。また、拡散反射光と正反射光が混在した観察角度領域Ｂにおいては、着色顔料の配合割合が低く、かつ、第２の画線群（４）と第４の画線群（６）の間の画線幅と、第１の画線群（３）と第３の画線群（５）との間の画線幅の差異が小さいほど、第１の画像が視認しやすいという結果となった。
【００７４】
この傾向はいずれの着色顔料やパール顔料を用いた場合にも共通の傾向であるものの、着色顔料の着色力やパール顔料の反射特性によって最適な条件は異なることから、使用する顔料に応じて、この相反する結果を両立可能な条件を見極め、画線幅や着色顔料の配合割合を決定する必要がある。また、パールに限らず、金インキや銀インキ等の鏡面光沢を有するインキにより本発明の情報担持体を形成した場合であっても同様である。
【００７５】
この例において、第１の画線面積率で形成する第１の画線群及び第３の画線群は、ピッチ０．４ｍｍ、画線幅０．１０〜０．２５ｍｍの範囲で形成していることから、第１の画線面積率は、約２５〜６３％となる。また、第２の画線面積率で形成する第２の画線群及び第４の画線群は、ピッチ０．４ｍｍ、画線幅０．３ｍｍであることから、第２の画線面積率は７５％である。よって、今回使用したインキを用いた場合には、第１の画線面積率と第２の画線面積率の差異は約１２〜５０%であり、この面積率の差異の範囲において、インキ中の着色顔料を適切な配合を見出すことにより、いずれもスイッチ性に優れた情報担持体を形成することが可能である。ただし、第１の画線面積率と第２の画線面積率の差異については、使用するインキよって最適な条件は異なることため、この範囲のみに制限されるものではないことは言うまでも無い。
【００７６】
観察角度領域Ａにおいて有意味な第２の画像を視認させるためには、インキ自体が基材と異なる色を有する必要がある。有色インキである金インキや銀インキ又は二色性パールインキ等の鏡面光沢を有するインキにより本発明の情報担持体を形成することが好ましい。
【００７７】
また、仮に透明な虹彩色パール顔料を用いて形成している場合、市販されているスクリーン印刷方式の虹彩色パール顔料は、透明又は半透明と分類されている顔料であっても、実際に１０〜２０％の高い重量配合部でメジュームに混合した段階で、ほとんどのパール顔料を含んだインキは白から灰色となる。本発明を形成するための特に有効な画線幅は、３０〜１０００μｍ程度であることから、このような幅の画線をスクリーン印刷方式により、透明な虹彩色パール顔料を含んだインキで形成した場合には、基材が白色で、インキと同色であったとしても、インキが完全に透明な特性を有しない限り、第２の画像を目視可能な画像として形成できる。このことから、虹彩色パール顔料のみを含むインキでも本発明の情報担持体を形成することは可能である。ただし、虹彩色パール顔料のみで本発明の情報担持体を形成する場合、虹彩色パール顔料とともに着色顔料を混合したインキで形成する場合と比較すると、第２の画像の視認性は低下する。以上のことから、実際に本発明の情報担持体を作製するにあたっては、顧客が希望するデザインに応じて着色顔料の添加又は無添加を取り決め、拡散反射光が支配的な観察角度領域における第２の画像の視認性を調整することが好ましい。
【００７８】
また、着色顔料と虹彩色パール顔料を混合して用いる場合、目視上のスイッチ効果及びパール効果を際立たせて見せる目的において、着色顔料の色は、黒色又はパール顔料の干渉色の補色、あるいは補色に近い色相が好ましい。パール顔料の干渉色に近い色で着色した場合でも、本発明の目的とするスイッチ効果は発現するものの、画像の色彩変化に乏しい印象を与えてしまうことから、スイッチを鮮やかに見せるためには好ましい形態ではない。
【００７９】
本発明に使用するインキについて、パール顔料を使用する場合、二色性パール顔料や虹彩色パール顔料又はその他の鱗片状顔料を用いても良い。パール顔料の粒子の大きさは、使用する印刷方式に応じて選択するものであるが、１〜５０μmが好ましく、平均粒径については５〜１５μm程度が好ましい。このように、いずれのパール顔料を用いても良いが、より鱗片状顔料の配向性（リーフィング効果）を向上させるためには、１０〜１５０μｍの盛り上がっている線画の表面で顔料が配向するような処理を施すことが好ましい。具体的には、例えば特開２００１−１０６９３７号公報に記載されたような撥水及び撥油性の表面処理を行うことで、印刷部の画線表面で顔料を配向させることができ、正反射光によるパールの干渉色をより鮮やかに出現させることが可能となる。本明細書に記載したパール顔料は、市販の顔料に対してすべて表面処理を行って用いている。
【００８０】
また、印刷方式は、１０〜１５０μｍの盛り上がりのある画線を形成し、かつ、粒径の大きなパール顔料を使用する必要があることから、スクリーン印刷方式や凹版印刷方式が好ましい。この中でも、ＵＶ乾燥型のスクリーン印刷方式は、形成する画線の高さの自由度や使用するパール顔料の粒径の許容性から、より好ましい。
【００８１】
（実施例１）
図２１は、本発明の実施例１の情報担持体（１６）であり、スイッチする二つの画像を、最良の形態で用いた図２の第２の画像（ＪＰＮ画像）と図３の第１の画像（桜模様）としている。図２２は、図２１の第１の画線群（３’）と第２の画線群（４’）の黒囲い部分（１７）の構成を拡大して表示したものである。画線の印刷は、表４に示すスクリーンインキを用いて行った。画線の高さは、実施の形態で説明した例と同様に約１０μｍである。
【００８２】
【表４】
0004972809.tif 000005
【００８３】
図２１を用いて説明すると、第１の画像（桜模様）の背景部となる第１の画線群（３’）と第２の画線群（４’）とは平行に形成されており、この二つの画線と、第１の画像（桜模様）の画像部となる第３の画線群（５’）と第４の画線群（６’）の画線は、画線角度を９０°異ならせて形成される。
【００８４】
また、第２の画像（ＪＰＮ画像）の背景部と成る第１の画線群（３’）と第３の画線群（５’）は、ピッチ０．５０ｍｍ、画線幅０．３０ｍｍの画線で形成し、第２の画像（ＪＰＮ画像）の画像部と成る第２の画線群（４’）と第４の画線群（６’）は、ピッチ０．４０ｍｍ、画線幅０．３０ｍｍの画線で形成している。
【００８５】
情報担持体（１６）は、第１の画像（桜模様）において、９０°画線角度の異なる画線とするところは情報担持体（１）と同様であるが、第２の画像（ＪＰＮ画像）においては、画線の太細ではなく、画線の粗密を用いて形成していることを特徴としており、画線の幅が第２の画像（ＪＰＮ画像）の画像部と背景部で同じ太さであっても、ピッチによって画像部と背景部の面積率の差異を視認させることができる。
【００８６】
実施例１において形成した情報担持体（１６）の目視上の効果について、図２３（ａ）〜（ｃ）を用いて説明する。図２３（ａ）は、角度領域Ａにおいて情報担持体（１６）を観察した場合に、目視上、視認される画像であり、着色顔料が青色であることから、青色の画像として第２の画像（ＪＰＮ画像）が主として認識される。図２３（ｂ）及び図２３（ｃ）は、観察角度領域Ｂにおいて情報担持体（１６）をフリップさせて観察した場合に、ポジからネガ又はネガからポジに濃淡反転しながら視認される画像であり、第１の画像（桜模様）が青色から金色へ、金色から青色へと鮮やかに変化する。
【００８７】
（実施例２）
図２４は、本発明の実施例２の情報担持体（１８）であり、スイッチする二つの画像は、実施の形態で用いた図２に示した第２の画像（ＪＰＮ画像）と図３に示した第１の画像（桜模様）としている。図２５は、図２４の第１の画線群（３’’）と第２の画線群（４’’）の黒囲い部分（１９）の構成を拡大して表示したものである。画線の印刷は、蒸着アルミ顔料を用いた銀色のＵＶスクリーンインキ（ウォールステンホルム社製  ミラシーン）にて行った。このインキは、実施例１のようにパール顔料を含まない、銀色に着色されたメタリック顔料である。画線の高さは、実施の形態で説明した例と同様に約１０μｍである。
【００８８】
図２４を用いて説明すると、第１の画像（桜模様）の背景部となる第１の画線群（３’’）と第２の画線群 (４’’)は平行に形成されており、この二つの画線と、第１の画像（桜模様）の画像部となる第３の画線群（５’’）と第４の画線群（６’’）は、画線角度が９０°異なる。また、第２の画像（ＪＰＮ画像）の背景部と成る第１の画線群（３’’）と第３の画線群（５’’）は、ピッチ０．４５ｍｍ、画線幅０．２５ｍｍの画線で形成し、第２の画像（ＪＰＮ画像）の画像部と成る第２の画線群（４’’）と第４の画線群（６’’）は、ピッチ０．４０ｍｍ、画線幅０．３０ｍｍの画線で形成している。
【００８９】
情報担持体（１８）は、第１の画像（桜模様）を、画線角度が９０°異なる画線を用いて形成することは最良の形態及び実施例１と同じであるが、第２の画像は、画線の太細と画線の粗密を同時に用いて形成することを特徴としており、画線の幅が第２の画像（ＪＰＮ画像）の画像部と背景部において画線の太さを変え、さらに、ピッチによっても画像部と背景部の面積率の差異を視認させることで、より視認性を増している。
【００９０】
実施例２において形成した情報担持体（１８）の目視上の効果について、図２６（ａ）〜（ｃ）を用いて説明する。図２６（ａ）は、観察角度領域Ａにおいて情報担持体（１８）を観察した場合に、目視上、視認される画像であり、インキの物体色が銀色であることから、第２の画像（ＪＰＮ画像）が主に灰色の画像として認識される。図２６（ｂ）及び図２６（ｃ）は、観察角度領域Ｂにおいて情報担持体（１８）をフリップさせて観察した場合に、ポジからネガ又はネガからポジに明度のみが変化し、淡い灰色から濃い灰色に濃淡反転しながら視認される画像である。
【００９１】
（実施例３）
図２７は、本発明の実施例３の情報担持体（２０）であり、スイッチする二つの画像を、図２に示した第２の画像（ＪＰＮ画像）と図３に示した第１の画像（桜模様）としている。画線の印刷は、表５に示すスクリーンインキを用いて行った。画線の高さは、実施の形態で説明した例と同様に約１０μｍである。
【００９２】
【表５】
0004972809.tif 000006
【００９３】
情報担持体（２０）は、第２の画像を画線幅の太細によって形成し、第１の画像は、画線角度が９０°角度の異なる２種類の画線のみを用いるのではなく、わずかに画線角度を変化させた複数種類の画線を用いて形成する例である。図２に示した第２の画像（ＪＰＮ画像）と図３に示した第１の画像（桜模様）を用いて、図２７に示す画線の構成により情報担持体（２０）を形成した。
【００９４】
図２７を用いて説明すると、第２の画像（ＪＰＮ画像）の背景部と成る第１の画線群（３’’’）と第３の画線群（５’’’）は、ピッチ０．４０ｍｍ、画線幅０．２０ｍｍの画線で形成し、第２の画像（ＪＰＮ画像）の画像部と成る第２の画線群（４’’’）と第４の画線群（６’’’）は、ピッチ０．４０ｍｍ、画線幅０．３０ｍｍの画線で形成している。第１の画像（桜模様）の背景部と成る第１の画線群（３’’’）と第２の画線群 (４’’’)は平行に形成されているが、この二つの画線と、第１の画像（桜模様）の画像部と成る第３の画線群（５’’’）と第４の画線群（６’’’）の画線は、花びらＡの領域（２１）の画線角度を９０°、花びらＢの領域（２２）の画線角度を６０°、花びらＣの領域（２３）の画線角度を３０°と、花びらの領域毎に３０°、６０°、９０°と３０°画線角度を変化させて画線を形成していることを特徴としている。
【００９５】
実施例３において形成した情報担持体（２０）の目視上の効果について、図２８（ａ）〜（ｃ）を用いて説明する。図２８（ａ）は、観察角度領域Ａにおいて情報担持体（２０）を観察した場合に、目視上、視認される画像であり、着色顔料が黒色であることから、第２の画像（ＪＰＮ画像）が主として黒色に認識される。図２８（ｂ）及び図２８（ｃ）は、観察角度領域Bにおいて、情報担持体（２０）をフリップさせて観察した場合に、画像部と背景部がポジからネガ又はネガからポジに濃淡反転しながら視認された画像であり、ネガとポジの２階調の画像ではなく、背景部の画線角度とのズレに応じた階調の濃淡画像となり、より色彩変化に富んだ画像を表現することができる。
【００９６】
表５に示すスクリーンインキにより作製した情報担持体（２０）をフリップさせて観察した場合には、画線角度の異なる第１の画像（桜模様）が黒色から赤色へ、赤色から黒色へと鮮やかに変化するため、画線角度が９０°異なる花びらＡの領域（２１）の画像が、背景部の色と濃淡反転した色を示すのに対し、花びらＢの領域（２２）や花びらＣの領域（２３）の画像は、赤色と黒色の中間調を示すこととなる。
【図面の簡単な説明】
【００９７】
【図１】本発明の実施の形態における情報担持体を示す図である。
【図２】本発明の実施の形態における第２の画像を示す図である。
【図３】本発明の実施の形態における第１の画像を示す図である。
【図４】第２の画像を除去し、画線角度の異なる第１の画像のみとした情報担持体を示す図である。
【図５】本発明の実施の形態において画線角度の異なりによって変化する色彩を機械的に測定したときの、光源と画線角度の異なる画線と受光角度の位置関係を示す図である。
【図６】本発明の実施の形態において画線角度の異なりによって変化する色彩を機械的に測定したときの、画線角度の異なる二つの画線の受光角度とそれぞれのＬ*、ａ*、ｂ*の変化を示す図である。
【図７】本発明の実施の形態において画線角度の異なりによって変化する色彩を機械的に測定したときの、二つの画線間の画線角度の異なりによって生じる受光角度別の色差ΔＥの関係を示す図である。
【図８】情報担持体と光源と観察者の視点との位置関係による三つの観察領域を示す図である。
【図９】本発明の実施の形態において、図４の構成で情報担持体を形成した場合に観察される画像を示す図である。
【図１０】第１の画像を除去し、面積率の差異による第２の画像のみとした情報担持体を示す図である。
【図１１】本発明の実施の形態において、画線面積率の差異（画線幅の大小）によって変化する色彩を、機械的に測定したときの光源と画線面積率の異なる画線と受光角度の位置関係を示す図である。
【図１２】本発明の実施の形態において、画線面積率の差異によって変化する色彩を、機械的に測定したときの画線面積率の異なる二つの画線の受光角度と、それぞれのＬ*、ａ*、ｂ*の変化を示す図である。
【図１３】本発明の実施の形態において、画線面積率の差異によって変化する色彩を、機械的に測定したときの二つの画線間の画線面積率の異なりによって生じる受光角度別の色差ΔＥの関係を示す図である。
【図１４】本発明の実施の形態において、図１０の構成で情報担持体を形成した場合に、観察角度に応じて観察される画像を示す図である。
【図１５】本発明の実施の形態において、図１の情報担持体を形成する四つの画線群のうち、第１の画線群のみを示す図である。
【図１６】本発明の実施の形態において、図１の情報担持体を形成する四つの画線群のうち、第２の画線群のみを示す図である。
【図１７】本発明の実施の形態において、図１の情報担持体を形成する四つの画線群のうち、第３の画線群のみを示す図である。
【図１８】本発明の実施の形態において図１の情報担持体を形成する４つの画線群のうち、第４の画線群のみを示す図である。
【図１９】本発明の実施の形態において、図１の情報担持体を形成する四つの画線群のうち、第１の画線群を基準とした場合の第２の画線群から第４の画線群までの画像領域の受光角度別の色差ΔEを示す。
【図２０】本発明の実施の形態において、図１の構成で情報担持体を形成した場合に観察される画像を示す図である。
【図２１】本発明の実施例１における情報担持体を示す図である。
【図２２】本発明の実施例１における情報担持体の一部画線構成を拡大して示す図である。
【図２３】本発明の実施例１において、図２１の構成で情報担持体を形成した場合に観察される画像を示す図である。
【図２４】本発明の実施例２における情報担持体を示す図である。
【図２５】本発明の実施例２における情報担持体の一部画線構成を拡大して示す図である。
【図２６】本発明の実施例２において、図２４の構成で情報担持体を形成した場合に観察される画像を示す図である。
【図２７】本発明の実施例３における偽造防止用情報担持体を示す図である。
【図２８】本発明の実施例３において、図２７の構成で情報担持体を形成した場合に観察される画像を示す図である。す。
【符号の説明】
【００９８】
１      本発明の実施形態の情報担持体
２      基材
３、３’、３’’、３’’’      第１の画線群
４、４’、４’’、４’’’      第２の画線群
５、５’、５’’、５’’’      第３の画線群
６、６’、６’’、６’’’      第４の画線群
７      第１の画像（桜模様）のみの情報担持体
７ａ    第１の画線群
７ｂ    第３の画線群
８      光源
９、１０、１１      観察者の視点
１２    第２の画像（ＪＰＮ画像）のみの情報担持体
１２ａ  第１の画線群
１２ｂ  第２の画線群
１３    第１の画線群を基準とした場合の第２の画線群のΔＥ
１４    第１の画線群を基準とした場合の第３の画線群のΔＥ
１５    第１の画線群を基準とした場合の第４の画線群のΔＥ
１６    実施例１の情報担持体
１７    第１の画線群（３’）と第２の画線群（４’）の黒囲い部分
１８    実施例２の情報担持体
１９    第１の画線群（３’’）と第２の画線群（４’’）の黒囲い部分
２０    実施例３の情報担持体
２１    第１の画線群（３’’’）及び第２の画線群 (４’’’)と画線角度が９０°異なる画線から成る花びらＡの領域
２２    第１の画線群（３’’’）及び第２の画線群 (４’’’)と画線角度が６０°異なる画線から成る花びらＢの領域
２３    第１の画線群（３’’’）及び第２の画線群 (４’’’)と画線角度が３０°異なる画線から成る花びらＣの領域
Ａ    拡散反射光が支配的な観察角度領域
Ｂ    拡散反射光と正反射光が混在する観察角度領域
Ｃ    正反射光が支配的な観察角度領域
Ｌ１*    画線幅０．１５ｍｍの画線に対して直角方向に受光し測定したL値
ａ１*    画線幅０．１５ｍｍの画線に対して直角方向に受光し測定したａ値
ｂ１*    画線幅０．１５ｍｍの画線に対して直角方向に受光し測定したｂ値
Ｌ２*    画線幅０．１５ｍｍの画線に対して平行方向に受光し測定したL値
ａ２*    画線幅０．１５ｍｍの画線に対して平行方向に受光し測定したａ値
ｂ２*    画線幅０．１５ｍｍの画線に対して平行方向に受光し測定したｂ値
Ｌ３*    画線幅０．２０ｍｍの画線に対して直角方向に受光し測定したL値
ａ３*    画線幅０．２０ｍｍの画線に対して直角方向に受光し測定したａ値
ｂ３*    画線幅０．２０ｍｍの画線に対して直角方向に受光し測定したｂ値
【図１】
0004972809.tif 000007
【図２】
0004972809.tif 000008
【図３】
0004972809.tif 000009
【図４】
0004972809.tif 000010
【図５】
0004972809.tif 000011
【図６】
0004972809.tif 000012
【図７】
0004972809.tif 000013
【図８】
0004972809.tif 000014
【図９】
0004972809.tif 000015
【図１０】
0004972809.tif 000016
【図１１】
0004972809.tif 000017
【図１２】
0004972809.tif 000018
【図１３】
0004972809.tif 000019
【図１４】
0004972809.tif 000020
【図１５】
0004972809.tif 000021
【図１６】
0004972809.tif 000022
【図１７】
0004972809.tif 000023
【図１８】
0004972809.tif 000024
【図１９】
0004972809.tif 000025
【図２０】
0004972809.tif 000026
【図２１】
0004972809.tif 000027
【図２２】
0004972809.tif 000028
【図２３】
0004972809.tif 000029
【図２４】
0004972809.tif 000030
【図２５】
0004972809.tif 000031
【図２６】
0004972809.tif 000032
【図２７】
0004972809.tif 000033
【図２８】
0004972809.tif 000034